(57)【特許請求の範囲】
【請求項１】
１乃至複数の配線器具を保持して造営面に取り付けられる取付枠であって、
前記造営面の表面側に配置された光コネクタに前記造営面の裏面側から接続される光ファイバの余長を収める収線構造が枠部に設けられており、
前記収線構造は、前記枠部の長手方向に沿う２つの第１の枠辺の少なくとも一方において長手方向に沿って凹設された溝部、又は少なくとも１つの前記第１の枠辺において長手方向に沿って設けられ且つ前記造営面の表面側に突出する複数のリブで構成されていることを特徴とする取付枠。
【請求項２】
前記配線器具が取り付けられた状態で前記配線器具の機能面を前記造営面の表面側に露出させる開口部を有し、前記収線構造は、前記開口部を取り囲む４つの枠辺のうち長手方向に沿う２つの前記第１の枠辺の少なくとも一方に設けられた前記溝部であることを特徴とする請求項１記載の取付枠。
【請求項３】
前記配線器具を保持する保持手段が２つの前記第１の枠辺に設けられていることを特徴とする請求項１又は２記載の取付枠。
【請求項４】
前記光コネクタが横並びに配置され、前記光コネクタと反対側の前記第１の枠辺に前記溝部が設けられるとともに、前記溝部に収納された前記光ファイバの端部が前記光コネクタ側に導出されることを特徴とする請求項１〜３の何れか１項に記載の取付枠。
【請求項５】
造営面に取り付けるための取付ねじが挿通されるねじ挿通孔を前記枠部の長手方向における両側の第２の枠辺に備え、前記ねじ挿通孔の周縁には、前記枠部に保持された前記配線器具と反対側の部位が前記配線器具側の部位よりも前面側への突出量が大きくなるように段差が設けられていることを特徴とする請求項１〜４の何れか１項に記載の取付枠。
【請求項６】
前面側に配置されるプレート枠を固定するための固定ねじがねじ込まれるねじ孔を前記枠部の長手方向における両側の第２の枠辺に備え、前記ねじ孔は、前記枠部の長手方向と交差する方向における一端側に配置されていることを特徴とする請求項１〜５の何れか１項に記載の取付枠。
【請求項７】
請求項３記載の取付枠と、前記取付枠の前面に取り付けられるとともに前面側に配置された化粧プレートを保持するプレート枠とを備え、前記溝部から導出させた前記光ファイバの位置を規制する規制部が前記プレート枠に設けられていることを特徴とする枠部材。
【請求項８】
請求項１〜６の何れか１項に記載の取付枠と、前記取付枠の前面に取り付けられるとともに前面側に配置された化粧プレートを保持するプレート枠と、前記光ファイバが接続される前記光コネクタとを備えていることを特徴とする光コンセント。
【発明の詳細な説明】
【技術分野】
【０００１】
本発明は、取付枠並びにそれを用いた枠部材及び光コンセントに関するものである。
【背景技術】
【０００２】
従来より、光ファイバの余長を収納する余長収納部が設けられた部材を専用部材として備えた光コンセントが提供されている（例えば特許文献１参照）。この光コンセントでは、上記の専用部材により、施工者が光ファイバの余長を収納する作業を手元で行うことができるため、上記の収納作業を容易に行うことができる。
【先行技術文献】
【特許文献】
【０００３】
【特許文献１】特開平９−１２７３６９号公報（段落［００１８］、及び、第１図）
【発明の概要】
【発明が解決しようとする課題】
【０００４】
ところで、上述の特許文献１に示した光コンセントでは、上記の専用部材により光ファイバの余長を処理できるものの、例えばモジュラジャックやＴＶコンセントなどの配線器具を並設する場合には、これらの配線器具を取り付けるための取付枠を別途用意する必要があり、そのため全体として大型のコンセント装置になっていた。
【０００５】
本発明は上記問題点に鑑みて為されたものであり、その目的とするところは、コンセント装置の小型化が可能な取付枠並びにそれを用いた枠部材及び光コンセントを提供することにある。
【課題を解決するための手段】
【０００６】
本発明の取付枠は、１乃至複数の配線器具を保持して造営面に取り付けられる取付枠であって、造営面の表面側に配置された光コネクタに造営面の裏面側から接続される光ファイバの余長を収める収線構造が枠部に設けられており、収線構造は、枠部の長手方向に沿う２つの第１の枠辺の少なくとも一方において長手方向に沿って凹設された溝部、又は少なくとも１つの第１の枠辺において長手方向に沿って設けられ且つ造営面の表面側に突出する複数のリブで構成されていることを特徴とする。
この取付枠において、配線器具が取り付けられた状態で配線器具の機能面を造営面の表面側に露出させる開口部を有し、収線構造は、開口部を取り囲む４つの枠辺のうち長手方向に沿う２つの第１の枠辺の少なくとも一方に設けられた溝部であるのが好ましい。
【０００７】
また、この取付枠において、配線器具を保持する保持手段が２つの第１の枠辺に設けられているのも好ましい。
【０００８】
また、この取付枠において、光コネクタが横並びに配置され、光コネクタと反対側の第１の枠辺に溝部が設けられるとともに、溝部に収納された光ファイバの端部が光コネクタ側に導出されるのも好ましい。
【０００９】
さらに、この取付枠において、造営面に取り付けるための取付ねじが挿通されるねじ挿通孔を枠部の長手方向における両側の第２の枠辺に備え、ねじ挿通孔の周縁には、枠部に保持された配線器具と反対側の部位が配線器具側の部位よりも前面側への突出量が大きくなるように段差が設けられているのも好ましい。
【００１０】
また、この取付枠において、前面側に配置されるプレート枠を固定するための固定ねじがねじ込まれるねじ孔を枠部の長手方向における両側の第２の枠辺に備え、ねじ孔は、枠部の長手方向と交差する方向における一端側に配置されているのも好ましい。
【００１１】
本発明の枠部材は、上記の取付枠と、取付枠の前面に取り付けられるとともに前面側に配置された化粧プレートを保持するプレート枠とを備え、溝部から導出させた光ファイバの位置を規制する規制部がプレート枠に設けられていることを特徴とする。
【００１２】
本発明の光コンセントは、上記の取付枠と、取付枠の前面に取り付けられるとともに前面側に配置された化粧プレートを保持するプレート枠と、光ファイバが接続される光コネクタとを備えていることを特徴とする。
【発明の効果】
【００１３】
コンセント装置の小型化が可能な取付枠を提供することができるとともに、この取付枠を用いることで小型の枠部材及び光コンセントを提供することができるという効果がある。
【図面の簡単な説明】
【００１４】
【図１】本発明に係る枠部材の正面図である。
【図２】本発明に係る光コンセントを備えたコンセント装置の正面図である。
【図３】同上の一部省略せる分解斜視図である。
【図４】本発明に係る取付枠の一例を示し、（ａ）は正面図、（ｂ）は斜視図である。
【図５】本発明に係る枠部材を構成するプレート枠の正面図である。
【図６】同上の前面側に取り付けられる化粧プレートの正面図である。
【図７】（ａ）、（ｂ）は本発明に係る取付枠の要部拡大図である。
【図８】（ａ）、（ｂ）は同上による効果を説明するための説明図である。
【図９】同上による別の効果を説明するための説明図である。
【図１０】（ａ）は本発明に係る枠部材の要部拡大図、（ｂ）は同上と同様の機能を備えた取付枠の要部拡大図である。
【図１１】本発明に係る取付枠の他の例を示す正面図である。
【発明を実施するための形態】
【００１５】
以下に、本発明に係る取付枠、枠部材及び光コンセントの実施形態を図面に基づいて説明する。なお、以下の説明では特に断りがない限り、図２に示す向きにおいて上下左右の方向を規定するとともに、紙面に垂直な方向を前後方向と規定する。
【００１６】
本発明に係る取付枠１は、例えば合成樹脂成形品であって、図１、図３及び図４に示すように上下方向に長い矩形枠状に形成された枠部１０を有し、枠部１０の中央部には矩形状の開口窓１０ａ（開口部）が設けられている。枠部１０の上下方向（長手方向）に沿う２つの縦辺（第１の枠辺）１１，１１のうち左側の縦辺１１には、配線器具６の左側に設けられた一対の係止爪（図示せず）が差し込まれる一対の係止孔１１ａ，１１ａが、上下方向に沿って所定の間隔で３組設けられている。また、右側の縦辺１１には、配線器具６の右側に設けられた一対の係止爪（図示せず）が差し込まれる一対の係止孔１１ｂ，１１ｂが、上下方向に沿って所定の間隔で３組設けられとともに、光ファイバ７の余長を収納するための収線構造を構成する溝部１１ｃが上下方向に沿って凹設されている。つまり、この取付枠１には、１個モジュール寸法に形成された配線器具６を上下方向に３個並べて取り付けることができる。ここに、本実施形態では、一対の係止孔１１ａ，１１ａと、対応する一対の係止孔１１ｂ，１１ｂとで保持手段が構成されている。
【００１７】
枠部１０の上下方向における２つの横片（第２の枠辺）１２，１２には、造営面Ｗ１に当該取付枠１を取り付けるための取付ねじ８が挿通されるねじ挿通孔１２ａ，１２ａがそれぞれ設けられている。各ねじ挿通孔１２ａの周縁には、図７（ａ）に示すように、開口窓１０ａと反対側（枠部１０に保持された配線器具６と反対側）の部位が開口窓１０ａ側（配線器具６側）の部位よりも前面側への突出量が大きくなるように段差１２ｃが設けられている。また、各ねじ挿通孔１２ａよりも外側（開口窓１０ａと反対側）には、後述するプレート枠２を固定するための固定ねじ９がねじ込まれるねじ孔１２ｂがそれぞれ設けられているが、これらのねじ孔１２ｂは、左右方向（枠部１０の長手方向と交差する方向）において左寄りに設けられている。さらに、下側の横片１２には、造営面Ｗ１の裏面側に先行配線された光ファイバ７を造営面Ｗ１の表面側に導出するための切欠き１２ｄが設けられている。
【００１８】
取付枠５は、ＪＩＳ等で規格化された従来周知の合成樹脂製の取付枠であって、図１に示すように中央部に開口窓５０ａが設けられた上下方向に長い矩形枠状の枠部５０を有する。枠部５０の上下方向に沿う２つの縦辺５１，５１のうち左側の縦辺５１には、配線器具６の左側に設けられた一対の係止爪（図示せず）が差し込まれる一対の係止孔５１ａ，５１ａが、上下方向に沿って所定の間隔で３組設けられている。また、右側の縦辺５１には、配線器具６の右側に設けられた一対の係止爪（図示せず）が差し込まれる一対の係止孔５１ｂ，５１ｂが、上下方向に沿って所定の間隔で３組設けられている。
【００１９】
枠部５０の上下方向における２つの横片５２，５２には、造営面Ｗ１に当該取付枠５を取り付けるための取付ねじ８が挿通されるねじ挿通孔５２ａ，５２ａがそれぞれ設けられている。また、各ねじ挿通孔５２ａの外側には、プレート枠２を固定するための固定ねじ９がねじ込まれるねじ孔（図示せず）が設けられている。
【００２０】
ここにおいて、本発明に係る枠部材は、上記の取付枠１と、取付枠１の前面側に取り付けられるプレート枠２とで構成されており、以下、プレート枠２について説明する。プレート枠２は、例えば合成樹脂成形品であって、図１、図３及び図５に示すように左右方向に長い矩形板状に形成されたプレート本体２０を有し、プレート本体２０の略中央部には矩形状の開口窓２０ａが設けられている。プレート本体２０の上下方向における２つの横辺２１，２１には、固定ねじ９が挿通されるねじ挿通孔２１ａが横並びに３個設けられている。なお、取付枠１に対応するねじ挿通孔２１ａは、取付枠１に設けたねじ孔１２ｂに対応する形で左寄りに設けられている（図１参照）。また、各横辺２１において取付枠１に対応する部位には、前面側に突出する弧状のリブ２１ｂがそれぞれ設けられている（図１０（ａ）参照）。これらのリブ２１ｂは、取付枠１の溝部１１ｃから導出させた光ファイバ７の位置を規制するためのものであり、収線作業後に光ファイバ７がプレート枠２外にはみ出すのを抑えることができる。ここに、上記のリブ２１ｂにより規制部が構成されている。
【００２１】
プレート本体２０の上下方向に沿う２つの縦辺２２，２２のうち左側の縦辺２２は、右側の縦辺２２よりも左右方向における幅寸法が大きく設定されており、左側の縦辺２２の下部には、上下方向における両端部が開口するとともに前面側に突設された角筒状の固定筒部２３が一体に設けられている。固定筒部２３の左右方向における両側壁には、光ファイバ７が接続される光コネクタ３に設けられた嵌合突起３０，３０（図３参照）と嵌合する嵌合孔２３ａ，２３ａが設けられている。また、左側の縦辺２２において固定筒部２３の上部には、前面側に突出する一対の係止突起２４，２４が設けられている。さらに、各縦辺２２の上下方向における両端部には、後述する化粧プレート４のプレート本体４０の裏面側に設けられた係止爪（図示せず）が挿入される係止孔２２ａがそれぞれ設けられている。ここに、上記の光コネクタ３は、造営面Ｗ１の裏面側に先行配線された光ファイバ７の先端部に取り付けられた接続プラグ７ａのフェルールと、造営面Ｗ１の表面側から接続される接続プラグ（図示せず）のフェルールとを整列させた状態で両接続プラグを保持するものである。
【００２２】
上記のプレート枠２の前面側には化粧プレート４が取り付けられる。以下、化粧プレート４について説明する。化粧プレート４は、例えば合成樹脂成形品であって、図２、図３及び図６に示すように、外形寸法がプレート枠２と略同寸法に設定された左右方向に長い矩形板状のプレート本体４０を有する。プレート本体４０には、取付枠１，５に取り付けられた配線器具６の機能面を前面側に露出させる上下方向に長い開口窓４０ａが左右方向に３個並べて設けられている。また、プレート本体４０において開口窓４０ａの左側には、化粧プレート４をプレート枠２に取り付けた際に、プレート枠２に固定された光コネクタ３及び当該光コネクタ３に接続された接続プラグ７ａが収納される突台部４１が一体に設けられており、この突台部４１の下面には、造営面Ｗ１の表面側からの接続プラグ（図示せず）が挿入されるプラグ挿入口４１ａが設けられている。なお、この突台部４１は、図３に示すように下側に行くほど前面側への突出量が大きくなるように形成されている。
【００２３】
次に、光ファイバ７の余長を収線する作業について図１に基づいて説明する。図１は左右方向に並べて配置された３個の取付枠１，５にプレート枠２が取り付けられた状態であり、またプレート枠２の固定筒部２３には光コネクタ３が固定されている。造営面Ｗ１の裏面側に先行配線された光ファイバ７は、取付枠１の下側の横辺１２に設けられた切欠き１２ｄを介して造営面Ｗ１の表面側に導出されるとともに、開口窓１０ａの周りを反時計回りに巻回され、先端部に設けられた接続プラグ７ａが光コネクタ３に接続される。なおこのとき、光ファイバ７は、右側の縦辺１１に設けられた溝部１１ｃ内にその一部が収納されるとともに、上下方向における両側部分が、プレート枠２に設けられたリブ２１ｂ，２１ｂにより位置規制されている。ここに、本実施形態では、上記の取付枠１、プレート枠２及び光コネクタ３により光コンセントが構成されている。
【００２４】
なお、本実施形態では、図２に示すように配線器具６として、ＬＡＮ用モジュラジャック６２及びＴＥＬ用モジュラジャック６３が取付枠１の枠部１０に取り付けられ、また２個のＴＶ用コンセント６１が取付枠１に隣接する取付枠５の枠部５０に取り付けられている。さらに、残りの取付枠５の枠部５０には、３個口の電源コンセント６０が取り付けられており、最後に造営面Ｗ１に固定されたプレート枠２の前面側に化粧プレート４を取り付けることでコンセント装置の組み立てが完了する。なおこのとき、各配線器具６は、その機能面を前面側に露出させた状態となっている（図２参照）。
【００２５】
ここで、本発明に係る取付枠１は、上述のように光ファイバ７の余長を収納する溝部１１ｃが設けられているため、取付枠５に比べてその厚み寸法が薄くなっており、ねじ挿通孔１２ａの周縁が平坦である（つまり段差がない）場合には、取付ねじ８からの力は図８（ａ）中の矢印Ａの向きに加えられる。その結果、取付ねじ８からの力は取付枠１全体に加えられることになり、溝部１１ｃが設けられた板厚の薄い中央部分がこの力によって内側（造営面Ｗ１の裏面側）に沈み込んだ状態になる。
【００２６】
ところで、本実施形態では、上述のようにねじ挿通孔１２ａの周縁に段差１２ｃを設けているため、取付ねじ８を用いて取付枠１を造営面Ｗ１に取り付けた状態では、開口窓１０ａと反対側（図７（ｂ）中の上側）の部位のみが取付ねじ８のねじ頭８ａに接触しており、開口窓１０ａ側（図７（ｂ）中の下側）の部位は接触していない。その結果、取付ねじ８からの力は図８（ｂ）中の矢印Ｂの向きに加えられることになり、溝部１１ｃが設けられた板厚の薄い中央部分の沈み込みを軽減することができる。
【００２７】
また、本実施形態では、プレート枠２を固定するための固定ねじ９がねじ込まれるねじ孔１２ｂが光コネクタ３に近い左寄りに設けられているが、例えば光コネクタ３に接続プラグ（図示せず）を接続する際に図９に示す荷重Ｎが加えられた場合、光コネクタ３との距離Ｌ１が短いほど固定ねじ９に加わる荷重は小さくなる。すなわち、本実施形態のように、固定ねじ９がねじ込まれるねじ孔１２ｂを光コネクタ３に近づけることで、固定ねじ９に加わる荷重を小さくすることができるのである。また、ねじ孔１２ｂを光コネクタ３に近づけることで、プレート枠２の端部が浮き上がりにくくなるという利点もある。
【００２８】
而して、本実施形態によれば、配線器具６が取り付けられる取付枠１に光ファイバ７の余長を収納する溝部（収線構造）１１ｃを設けているので、例えば配線器具６を光コネクタ３に並設する場合にはこの取付枠１を用いればよく、従来例のように取付枠を別途設けなくてもいいので、全体としてコンセント装置の小型化を図ることができる。また、縦辺１１に設けた溝部１１ｃにより収線構造を構成しており、この溝部１１ｃ内に光ファイバ７の余長を収納するだけでいいので収線作業が容易になり、特に本実施形態のように片側の縦辺１１にのみ溝部１１ｃを設けた場合には、収線作業がさらに容易になるという利点がある。また、本実施形態の取付枠１を用いることによって、小型の枠部材及び光コンセントを提供することができる。
【００２９】
なお、本実施形態では、溝部１１ｃから導出させた光ファイバ７の位置を規制するリブ（規制部）２１ｂをプレート枠２に設けているが、図１０（ｂ）に示すように取付枠１の横辺１２に設けたリブ１２ｅで規制部を構成してもよく、同様に光ファイバ７がプレート枠２外にはみ出すのを抑えることができる。また、本実施形態では、右側の縦辺１１に設けた溝部１１ｃで収線構造を構成しているが、例えば図１１に示すように溝部１１ｃの代わりに前面側に突設させた複数のリブ１１ｄで収線構造を構成してもよく、上述と同様の効果が得られる。さらに、光ファイバ７の位置を規制する規制部についても、図１１に示すように前面側に突設させた複数のリブ１２ｆで構成してもよい。また、図１１に示すように、リブ１１ｄに沿って配置された光ファイバ７が取付枠１外にはみ出さないように前面側に突設させた複数のリブ１１ｅを設けてもよい。さらに、本実施形態では、取付枠１とともに２個の取付枠５を並設しているが、取付枠１を有していればいいことから、取付枠５については設けなくてもいいし、また１個あるいは３個以上設けてもよい。
【符号の説明】
【００３０】
１  取付枠
３  光コネクタ
６  配線器具
７  光ファイバ
１０  枠部
１０ａ  開口窓
１１  縦辺（第１の枠辺）
１１ａ，１１ｂ  係止孔（保持手段）
１１ｃ  溝部（収線構造）
１２  横片（第２の枠辺）
１２ｃ  切欠き
Ｗ１  壁面（造営面）
【図１】
0005584544.tif 000002
【図２】
0005584544.tif 000003
【図３】
0005584544.tif 000004
【図４】
0005584544.tif 000005
【図５】
0005584544.tif 000006
【図６】
0005584544.tif 000007
【図７】
0005584544.tif 000008
【図８】
0005584544.tif 000009
【図９】
0005584544.tif 000010
【図１０】
0005584544.tif 000011
【図１１】
0005584544.tif 000012